(57)【特許請求の範囲】
【請求項１】
スイッチユニットと、このスイッチユニットを作動するヘッドユニットとを備えたリミットスイッチであって、
前記スイッチユニットのスイッチ本体の両肩部に薄肉状の段部を形成して嵌合凸部を構成し、この嵌合凸部に取付用孔部が設けてあり、
更に、前記嵌合凸部が嵌合される切欠き部を形成すべく前記ヘッドユニットのヘッドケースの両側に二股状の突出部を形成し、
前記二股状の突出部が前記嵌合凸部を抱き込むように前記切欠き部に前記嵌合凸部を嵌合させて重合させ、前記取付用孔部に取付用ねじ部材を挿通させて、この取付用ねじ部材により前記突出部を前記嵌合凸部に押圧して前記スイッチ本体と前記ヘッドケースとを共締めするように構成したことを特徴とするリミットスイッチ。
【請求項２】
前記ヘッドユニットが備え且つ前記スイッチヘッドを作動するアクチュエータが、移動体が接触するローラと、このローラを保持して前記移動体の前記ローラへの接触により傾動するレバーとを有し、前記レバーにおける前記ローラとは逆側に重錘を設けるようにした請求項１記載のリミットスイッチ。
【発明の詳細な説明】
【０００１】
【産業上の利用分野】
本発明は、物体検知等に用いられる、安全関連規格（耐電圧試験、電気的開閉試験、ケーブル強度試験など）を取得したセーフティリミットスイッチ等のリミットスイッチに関するものである。
【０００２】
【従来の技術】
従来のリミットスイッチとしては図２３の（１）に示すものがある。このリミットスイッチＳ−１は、スイッチユニット１９０とヘッドユニット１９１とを有しており、このスイッチユニット１９０は、ケース本体１９２にプランジャ１９３を設けると共に、内蔵スイッチ１９４を内蔵して構成してあり、この内蔵スイッチ１９４において、スイッチプランジャ１９５が２つの可動片（図示せず）を保持しており、スイッチプランジャ１９５は、スイッチプランジャ収容部に復帰ばね（いずれも図示せず）により保持された状態で移動可能に収容されていて、可動片に設けた可動接点と固定端子の固定接点（いずれも図示せず）とで接点部を構成している。
【０００３】
また、ヘッドユニット１９１は、ヘッドケース１９６にロータリーシャフト１９７を回転可能に設け、このロータリーシャフト１９７の端部に、ローラ１９８を有するローラレバ−１９９を取付け、ロータリーシャフト１９７にカム部２００を設けた構成である。
【０００４】
そして、ヘッドユニット１９１のスイッチユニット１９０への取付は、ヘッドユニット１９１をスイッチユニット１９０に載せて、このヘッドユニット１９１のヘッドケース１９６に設けた孔部に取付用ねじ部材（いずれも図示せず）を挿入して、この取付用ねじ部材をスイッチユニット１９０のケース本体１９２に設けたねじ孔（図示せず）に螺合することで行われている。
【０００５】
このように、スイッチユニット１９０にヘッドユニット１９１を固定し、プランジャ１９３をロータリーシャフト１９７のカム部２００に押し当てることでリミットスイッチＳ−１が構成されている。
【０００６】
また、リミットスイッチＳ−１のスイッチ取付相手２０１への取付は、図２３の（２）に示すように、スイッチユニット１９０のケース本体１９２に設けた取付用孔部１９２Ａに取付用ねじ部材２０２を挿通して、この取付用ねじ部材２０２をスイッチ取付相手２０１に螺合することで行われていた。
【０００７】
そして、ドッグ（図示せず）を移動して、このドッグにリミットスイッチのローラ１９８が接して、ローラレバ−１９９を倒しリミットスイッチを作動させるのであるが、このローラレバー１９９が倒されることによりロータリーシャフト１９７が回転しプランジャ１９３が押されて、内蔵スイッチ１９４のスイッチプランジャ１９５が押され、内蔵スイッチ１９４がスイッチング作動を行う。
【０００８】
【発明が解決しようとする課題】
しかしながら、従来のリミットスイッチＳ−１にあっては、ヘッドユニット１９１のスイッチユニット１９０への取付が、ヘッドケース１９６に設けた孔部に取付用ねじ部材を挿入して、この取付用ねじ部材をスイッチユニット１９０のケース本体１９２に設けたねじ孔に螺合することで行われていたために、剛性が不足していた。特に、スイッチユニット１９０のケース本体１９２が樹脂製だと剛性が著しく低下していた。
【０００９】
したがって、リミットスイッチＳ−１をスイッチ取付相手２０１に取付けた場合に、図２３の（２）に示すように、ヘッドユニット１９１とスイッチ取付相手２０１との間に異物２０３が噛み込んだ場合には、取付用ねじ部材２０２の締め付けによりヘッドユニット１９１が前方に折れるように、リミットスイッチＳ−１が変形、破損するという問題点があった。
【００１０】
また、スイッチ取付相手２０１にリミットスイッチＳ−１を取付けるためのスイッチ取付部（図示せず）とスイッチ取付相手２０１との間に隙間（図示せず）がある場合には、この隙間に、変形、割れ防止用の別部品としてのスペーサ（図示せず）を介在させる必要があった。
【００１１】
また、上記した従来のリミットスイッチＳ−１にあっては、市場の要求である高感度化に対応しようとすると、耐振動性、耐衝撃性、耐テレグラフィング性が悪くなるという問題点があった。
【００１２】
本発明は、上記の問題点に着目して成されたものであって、その目的とするところは、スイッチ本体が金属製、樹脂製のいずれかであっても剛性があり、取付時に変形、破損し難くなるし、また、取付強度が向上して変形、割れ防止用の別部品が不要になるし、さらに、取付相手部材との間に異物がかみ込んだ時に変形、破損しにくくなるリミットスイッチを提供することである。
【００１３】
【課題を解決するための手段】
上記の目的を達成するために、本発明に係るリミットスイッチは、スイッチユニットと、このスイッチユニットを作動するヘッドユニットとを備えたリミットスイッチであって、前記スイッチユニットのスイッチ本体の両肩部に薄肉状の段部を形成して嵌合凸部を構成し、この嵌合凸部に取付用孔部が設けてあり、更に、前記嵌合凸部が嵌合される切欠き部を形成すべく前記ヘッドユニットのヘッドケースの両側に二股状の突出部を形成し、前記二股状の突出部が前記嵌合凸部を抱き込むように前記切欠き部に前記嵌合凸部を嵌合させて重合させ、前記取付用孔部に取付用ねじ部材を挿通させて、この取付用ねじ部材により前記突出部を前記嵌合凸部に押圧して前記スイッチ本体と前記ヘッドケースとを共締めするように構成したことを特徴とする。
【００１４】
ここで、リミットスイッチとは、安全関連規格（耐電圧試験、電気的開閉試験、ケーブル強度試験など）を取得したセーフティリミットスイッチ等である。
【００１５】
また、アクチュエータとは、移動体との接触により傾動してプランジャ手段を介して内蔵スイッチを作動するレバーと、このレバーに設けられたローラとを有するレバータイプ等である。
【００１６】
また、プランジャ手段とは、例えばリンクプランジャが該当するし、内蔵スイッチとは、例えば、固定接点を有する固定端子と、可動接点を有する可動片を保持したスイッチプランジャと、復帰ばねとを有する構造体である。
【００２１】
かかる構成により、ヘッドユニットがスイッチユニットとの結合が、嵌合凸部を切欠き部に嵌合し、そして、取付用孔部に取付用ねじ部材を挿通させて、この取付用ねじ部材で突出部を嵌合凸部に押圧してスイッチ本体とヘッドケースとを共締めすることにより行われるために、剛性を高めることができる。したがって、スイッチユニットのスイッチ本体が金属製、樹脂製のいずれかであっても、取付時にスイッチが変形、破損し難くなるし、また、取付強度が向上するし、変形、割れ防止用の別部品が不要になる。さらに、スイッチ取付面に異物がかみ込んだ時にスイッチが変形、破損しにくくなる。
【００３１】
また、本発明に係るリミットスイッチは、上記した本発明に係るリミットスイッチユニットにおいて、ヘッドユニットが備え且つ前記スイッチヘッドを作動するアクチュエータが、移動体が接触するローラと、このローラを保持して移動体のローラへの接触により傾動するレバーとを有し、レバーにおけるローラとは逆側に重錘を設けるようにした。
【００３２】
かかる構成により、高感度化を実現しつつ、耐振動性、耐衝撃性、耐テレグラフィング性に優れたリミットスイッチを実現できる。
【００３３】
【発明の実施の形態】
以下、本発明の実施の形態を図面に基づいて説明する。
【００３４】
（実施の形態１）
本発明に係るリミットスイッチの実施の形態１を図１乃至図１９に示す。なお、説明の便宜上、上下方向、左右方向及び前後方向を図示のように設定する。
【００３５】
本発明の実施の形態１に係るリミットスイッチＳは、スイッチユニットＡとヘッドユニットＢとを組み合わせて構成してある。
【００３６】
スイッチユニットＡは、大別して、スイッチ本体である外部ケース１と、内蔵スイッチ３と、リンクプランジャ機構部４とで構成してある。
【００３７】
外部ケース１は、図４及び図５に示すように上面部１Ａと、前、後面部１Ｂ、１Ｃと、左、右面部１Ｄ、１Ｅとを有するボックス形状をしていて、下面が開放している。
【００３８】
そして、外部ケース１の上面部１Ａには、ヘッドユニット取付部１０とプランジャ装着部１１とが形成してある。このヘッドユニット取付部１０は、外部ケース１の前、後面部１Ｂ、１Ｃの上部の左右を切り欠き段差を設けることで、外部ケース１の上部の左右の前後に嵌合凹部１２Ａ、１２Ｂと、これらの嵌合凹部１２Ａ、１２Ｂに挟まれた凸部である嵌合凸部１３とを形成して構成してあり、嵌合凸部１３には前後方向に抜ける貫通孔１４が、また、嵌合凸部１３の上面部１３ａにはねじ孔部１５がそれぞれ設けてある。そして、嵌合凹部１２Ａ、１２Ｂと嵌合凸部１３とでスイッチ側嵌合部を構成している。
【００３９】
また、プランジャ装着部１１は、外部ケース１の上面部１Ａの中央部に、左右の嵌合凸部１３に挟まれた状態で形成された円形状の孔部１６を有しており、この孔部１６は、外部ケース１の内部空間Ｋの天井部の中央に開口している。そして、孔部１６内にはシールキャップ保持部１７が形成してある。
【００４０】
また、外部ケース１の右面部１Ｅの下縁部には切欠部よりなるケーブル導出部１８が形成してあり、また、外部ケース１の前、後面部１Ｂ、１Ｃの下部の左右にはピン取付孔部２０が設けてる。
【００４１】
リンクプランジャ機構部４は、図２に示すようにリンクプランジャ６１とシールキャップ６２とを有しており、リンクプランジャ６１は、図７に示すようにロッド状のプランジャ本体６１Ａの端部にプランジャ側係合部であるキャップ係合部６３を設けて構成してある。
【００４２】
また、シールキャップ６２は弾性体（例えばゴム）で作成してあり、図６に示すように略ドーム形状のキャップ本体６２Ａを有しており、このキャップ本体６２Ａの上部にはＯリング状の上側係合部６４Ａが、下部にはリング状の下側係合部６４Ｂがそれぞれ形成してある。
【００４３】
リンクプランジャ６１に、そのキャップ係合部６３に上側係合部６４Ａを係合してシールキャップ６２が取付けてあり、そして、図２に示すようにシールキャップ６２の下側係合部６４Ｂをプランジャ装着部１１内のシールキャップ保持部１７に係合することで、外部ケース１にリンクプランジャ６１が取付けてある。
【００４４】
内部ケース２は、スイッチケース２１と、２つのスイッチカバー５、６と、固定用ケース７とにより構成してある。
【００４５】
スイッチケース２１は、図８乃至図１１に示すように、プレート状のケース本体２２を有しており、このケース本体２２の面部が隔壁部２２Ｆを構成しており、この隔壁部２２Ｆを挟んだ表部と裏部にはスイッチ配置部２５、２５−１が形成してある。
【００４６】
これらのスイッチ配置部２５、２５−１には、後述するスイッチプランジャを収容するスイッチプランジャ収容部３２と、スイッチプランジャ収容部３２を挟んだ両側に設けられ且つ後述する固定端子を着脱可能に取付ける左右の固定端子取付部３２Ｌ−１、３２Ｒ−１と、左右の固定端子取付部３２Ｌ−１、３２Ｒ−１に沿わせて設けられ且つ固定端子に接続されるリード線を配置する左右のリード線配置部３２Ｌ−２、３２Ｒ−２と、後述する内蔵スイッチのスイッチ要素部を配置する上下のスイッチ要素収容部３２Ｆ、３２Ｇと、上下のスイッチ要素収容部３２Ｆ、３２Ｇを隔絶する接点遮蔽部３２Ｈとが形成してある。
【００４７】
すなわち、ケース本体２２には上面部２２Ａが形成してあり、この上面部２２Ａの中央部には切欠き部２６が、左右にはカバー係止突起部３５Ａがそれぞれ形成してある。また、ケース本体２２には下面部２２Ｂが形成してあり、この下面部２２Ｂの中央部には、この下面部２２Ｂより下方に突出するようにして袋状部２２Ｃが形成してある。この袋状部２２Ｃの底部にはばね受部４４Ａが設けてある。
【００４８】
そして、スイッチ配置部２５、２５−１には、左右の縦リブ２７、２８が平行して形成してある。縦リブ２７、２８には、ケース本体２２の中央に向かって横リブ２９、３０が形成してあり、上面部２２Ａと、横リブ２９、３０間の隙間３１と、袋状部２２Ｃとでスイッチプランジャ収容部３２が形成してある。この場合、上面部２２Ａの切欠き部２６の縁部はストッパー部２６Ａになっている。
【００４９】
そして、左右の縦リブ２７、２８の上部、中間部及び下部には端子挿入溝部３３、３４、３５が形成してあり、ケース本体２２には、縦リブ２７、２８の外方に位置させて、上部、中間部及び下部に端子係止部３６、３７、３８が形成してある。この場合、端子係止部３８は、他の端子係止部３６、３７とは向きが逆である。
【００５０】
そして、端子挿入溝部３３と端子係止部３６とは対になって上側の固定端子装着部３６−１を、端子挿入溝部３４と端子係止部３７とは対になって中間の固定端子装着部３６−２を、端子挿入溝部３５と端子係止部３８とは対になって固定下側の端子装着部３６−３をそれぞれ形成していて、これらの固定端子装着部３６−１、３６−２、３６−３のうちの左側のものが左の固定端子取付部３２Ｌ−１を、右側のものが右の固定端子取付部３２Ｒ−１をそれぞれ構成している。
【００５１】
そして、ケース本体２２の左、右縁部には舌片部３９が形成してあり、この舌片部３９と左右の端子係止部３６、３７、３８との間が左右のリード線配置部３２Ｌ−２、３２Ｒ−２にしてある。また、下面部２２Ｂには、その左右にリード線導入部４０、４１が設けてあって、左のリード線導入部４０は左のリード線配置部３２Ｌ−２に、右のリード線導入部４１は右のリード線配置部３２Ｒ−２にそれぞれ通じている。
【００５２】
そして、端子挿入溝部３３と端子係止部３６とが対になった左右の上側の固定端子装着部３６−１が上側のスイッチ要素収容部３２Ｆを構成しており、端子挿入溝部３５と端子係止部３８とは対になった左右の下側の固定端子装着部３６−３（もしくは、端子挿入溝部３４と端子係止部３７とは対になった左右の中間の固定端子装着部３６−２）が下側のスイッチ要素収容部３２Ｇを構成している。
【００５３】
そして、横リブ２９、３０が上、下側のスイッチ要素収容部３２Ｆ、３２Ｇを隔絶する接点遮蔽部３２Ｈを構成している。
【００５４】
また、ケース本体２２の下面部２２Ｂにはアース線保持部５１が設けてある。このアース線保持部５１は、下面部２２Ｂに突設した突設部５２に、アース線挿入孔５３と、アース線からげ用切欠き部５４とを形成して構成してある。また、ケース本体２２の下面部２２Ｂの右部には半円形状の凹部５５と突起５５Ａとが形成してある。
【００５５】
また、上側の固定端子装着部３６−１、中間の固定端子装着部３６−２及び下側の固定端子装着部３６−３には固定端子が装着されるのであるが、２スイッチ要素部（２回路構成）であるために、上側の固定端子装着部３６−１と下側の固定端子装着部３６−３とに固定端子が装着されている。
【００５６】
この場合、左の上側の固定端子装着部３６−１に装着される固定端子４２Ｌと、右の下側の固定端子装着部３６−３に装着される固定端子４４Ｒとは同構成であり、これらの固定端子４２Ｌ、４４Ｒは、図１４に示すように基部に圧接接続部４２ｂ、４４ｂを、先側に固定接点４２ａ、４４ａをそれぞれ有している。
【００５７】
また、右の上側の固定端子装着部３６−１に装着される固定端子４２Ｒと、左の下側の固定端子装着部３６−３に装着される固定端子４４Ｌとは同構成であり、これらの固定端子４２Ｒ、４４Ｌは、固定端子４２Ｌ、４４Ｒを逆構成にしたものである。
【００５８】
そして、左右の上側の端子係止部３５には固定端子４２Ｌ、４２Ｒが係止してあり、固定端子４２Ｌ、４２Ｒの端部は、それぞれに端子挿入溝部３３に挿入してあって、固定端子４２Ｌ、４２Ｒは上側のスイッチ要素収容部３２Ｆに位置しており、また、下側の端子係止部３７には固定端子４４Ｌ、４４Ｒが係止してあり、固定端子４４Ｌ、４４Ｒの端部は、それぞれに端子挿入溝部３５に挿入してあって、下のスイッチ要素収容部３２Ｇ内に位置している。
【００５９】
一方及び他方のスイッチカバー５、６は、図１２に示すようにスイッチ配置部２５を覆う形状であり、そのプレート状のカバー本体５Ａの内面には、その左右には上部、中間部及び下部の押圧手段である圧接部押え用突起４５、４６、４７が設けてある。
【００６０】
また、カバー本体５Ａの上縁部の中央部には舌片部４８が、また、左右には係止孔部４９Ａを有する係止片部４９がそれぞれ設けてある。また、カバー本体５Ａの左、右縁部には舌片部５０が形成してあり、カバー本体５Ａの下縁部には突出部５Ｂが形成してある。
【００６１】
固定用ケース７は、図１３の（１）、（２）に示すように長方形状のケース本体７Ａを有しており、このケース本体７Ａの右側には外ケース係合プレート部５７Ａが形成してあり、この外ケース係合プレート部５７Ａには円環状のケーブル挿通保持部５７が設けてあり、ケーブル挿通保持部５７の端部には鍔部よりなるシール部材係止部５８が設けてある。また、ケーブル挿通保持部５７の上部には係止突起部６０Ｃが形成してあり、また、ケース本体７Ａの外面部（下面部）の左右にはピン当接部５９が形成してある。また、ケース本体７Ａの内面には、ケース嵌合部６０Ａとアース線押え突起部６０Ｂとが突設してある。
【００６２】
図２に示すようにケーブル８０にはゴム製のキャップ状のシール部材８１が設けてあり、このケーブル８０は固定用ケース７の円環状のケーブル挿通保持部５７に挿通してあり、シール部材８１がシール部材係止部５８に係止してある。
【００６３】
そして、図１４の（２）に示すようにケーブル８０の８本のリード線８０−１〜８０−８は左右に２等分されており、ケーブル８０の中心にはアース線８０−９が配置してある。そして、左の４本のリード線８０−１〜８０−４は、前後に２本づつ分けられた状態で左のリード線導入部４０から左のリード線配置部３２Ｌ−２に配線された後に、左の前後の固定端子４２Ｌ、４４Ｌの圧接接続部４２ｂ、４４ｂに圧接接続してある。
【００６４】
同様に、右の４本のリード線８０−５〜８０−８は、前後の２本づつ分けられた状態で右のリード線導入部４１から右のリード線配置部３２Ｒ−２に配線された後に、右の前後の固定端子４２Ｒ、４４Ｒの圧接接続部４２ｂ、４４ｂに圧接接続してある。
【００６５】
内蔵スイッチ３は固定端子４２Ｌ、４２Ｒ、４４Ｌ、４４Ｒと、スイッチプランジャ６６と、このスイッチプランジャ６６に保持用弾性部材である保持ばね７７Ａ、７７Ｂを介して保持され且つ可動接点６７ａ、６９ａを有する可動片６７、６９と、復帰用弾性部材である復帰ばね７７とで構成してある。
【００６６】
スイッチプランジャ６６は、図１５の（１）、（２）、（３）に示すようにプランジャ本体６６Ａを有しており、このプランジャ本体６６Ａの上部には接触部７８とストッパー部７９とが設けてあり、また、プランジャ本体６６Ａの両側面部には、その軸線方向に長い孔部７０、７１が上下に形成してあり、また、プランジャ本体６６Ａの前面部には孔部７０に通じる孔部７０Ａが形成してある。そして、上側の孔部７０の上、下端部にはガイド７２、７３が、下側の孔部７１の上、下端部にはガイド７４、７５がそれぞれ設けてあり、また、プランジャ本体６６Ａの下面部には復帰ばね挿入部７６が設けてある。
【００６７】
そして、上側の孔部７０には上側のガイド７２に上下動可能に可動片６７が設けてあって、この可動片６７は保持ばね７７Ａにより上方に付勢されている。また、下側の孔部７１には、その下側のガイド７５に上下動可能に可動片６９が設けてあり、可動片６９は、保持ばね７７により下方に付勢されている。
【００６８】
そして、上記のように構成されたスイッチプランジャ６６は、図２に示すようにその復帰ばね挿入部７６に復帰ばね７７を挿入した状態で、スイッチ配置部２５、２５−１のスイッチプランジャ収容部３２に上下方向に移動可能に収容してあり、また、復帰ばね７７は、スイッチプランジャ収容部３２の袋状部２２Ｃの底部のばね受部４４に受けられている。
【００６９】
したがって、スイッチプランジャ６６は復帰ばね７７により上方に付勢されていて、スイッチプランジャ６６の上部の接触部７８はスイッチケース２１の切欠き部２６より上方に突出していて、スイッチプランジャ６６のストッパー部７９は、ケース本体２２の上面部２２Ａのストッパー部２６Ａに当接していて、可動片６７の左右の可動接点６７ａは、左右の固定端子４２Ｌ、４２Ｒの固定接点４２ａに接触し、ノーマルクローズ（ＮＣ）接点部を構成している。また、可動片６９の左右の可動接点６９ａは固定端子４４Ｌ、４４Ｒの固定接点４４ａから開離していて、ノーマルオープン（ＮＯ）接点部を構成している。
【００７０】
そして、左右の固定端子４２Ｌ、４２Ｒと、可動片６７と、ノーマルクローズ（ＮＣ）接点部とで、内蔵スイッチ３の上側のスイッチ要素部を構成しており、また、固定端子４４Ｌ、４４Ｒと、可動片６９とノーマルオープン（ＮＯ）接点部とで、内蔵スイッチ３の下側のスイッチ要素部を構成している。これらの上、下側のスイッチ要素部は、図３に示すように、スイッチケース２１の両面のスイッチ配置部２５、２５−１にそれぞれ設けてある。なお、ノーマル接点部は、図３に示すように、スイッチプランジャ６６が強制的に移動させられることで、強制的に開離が行われるものである。
【００７１】
そして、スイッチケース２１にスイッチカバー５、６を装着することで、スイッチ配置部２５、２５−１がスイッチカバー５、６により覆われている。この場合、スイッチカバー５、６の上縁部の中央の舌片部４８がスイッチケース２１の切欠き部２６に挿入してあり、また、左右の係止片部４９の係止孔部４９Ａが、スイッチケース２１のカバー係止突起部３５Ａに係脱可能に係止している。そして、スイッチカバー５、６の内面に設けられた上部及び下部の圧接部押え用突起４５、４７が固定端子４２、４４の圧接接続部４２ｂ、４４ｂに圧接接続されているリード線８０−１〜８０−８を押えている。
【００７２】
また、スイッチカバー５、６の左、右縁部の舌片部５０がスイッチケース２１の舌片部３９に噛み合わされていて、内蔵スイッチ３のスイッチ要素部を密閉している。
【００７３】
そして、スイッチケース２１のアース線保持部５１には、ケーブル８０のアース線（図示せず）がアース線挿入孔５３に挿入された後にアース線からげ用切欠き部５４にからげ接続してある。
【００７４】
そして、上記のようにスイッチカバー５、６を装着したスイッチケース２１の底部に固定用ケース７が組み付けてある。すなわち、固定用ケース７のケース嵌合部６０Ａに、スイッチケース２１の袋状部２２Ｃと、この袋状部２２Ｃを覆うスイッチカバー５、６の突出部５Ｂとを嵌合し、係止突起部６０Ｃをスイッチケース２１の係止孔部（図示せず）に係止して固定用ケース７が組み付けてある。
【００７５】
そして、上記のようにスイッチカバー５、６及び固定用ケース７を装着したスイッチケース２１は外部ケース１に収納されてスイッチユニットＡが構成されることになる。
【００７６】
すなわち、スイッチカバー５、６及び固定用ケース７を装着したスイッチケース２１を外部ケース１に収納した場合、スイッチプランジャ６６の上部の接触部７８は、外部ケース１のリンクプランジャ６１に下から接触している。また、外部ケース１の右面部１Ｅの下縁部のケーブル導出部１８には、固定用ケース７の外ケース１の係合プレート部５７Ａが係合しており、エンドキャップ８１の当接面部８１Ａが外部ケース１の右面部１Ｅに当接している（図２参照）。
【００７７】
そして、外部ケース１の前、後面部１Ｂ、１Ｃの下部に設けられた左右のピン取付孔部２０には保持ピン１２０が挿入されて、前、後面部１Ｂ、１Ｃに架けた状態になっていて、保持ピン１２０は、固定用ケース７の外面部（下面部）の左右のピン当接部５９に当接していて、保持ピン１２０が、スイッチカバー５、６及び固定用ケース７を装着したスイッチケース２１を外部ケース１に収納状態で保持している。
【００７８】
そして、アース線押え突起部６０Ｂが、アース線からげ用切欠き部５４にからげられたアース線８０−９を押えていて、アース線保持部５１の弾性でアース線８０−９を外部ケース１の内面に接触させている。
【００７９】
また、ケース本体２２の下面部２２Ｂに設けた円形状の凹部５５と固定用ケース７とで、この固定用ケース７のケーブル挿通保持部５７に挿通されたケーブル８０が挟まれていて、凹部５５に設けた突起５５Ａがケーブル８０を押し付けている。そして、外部ケース１の下面の開放口には封止用樹脂（接着剤）（図示せず）が充填してあり、防水処理がなされて、スイッチユニットＡが構成してある。この場合、突起５５Ａがケーブル８０を押し付けているために、封止用樹脂が内蔵スイッチ３側には流入しないようになる。
【００８０】
ヘッドユニットＢはヘッドケース９０を備えており、このヘッドケース９０は、図１６に示すように、そのケース本体９０Ａの上部にシャフト支承部９１が、その下部に被嵌部９２がそれぞれ形成してある。シャフト支承部９１の端面部にはストッパー部９３が形成してあり、また、シャフト支承部９１の周部には被嵌部９２に抜ける孔部９４が設けてある。
【００８１】
また、ヘッドケース９０の外面部に、色分け、または凹凸形状により２種類のセットゾーンＺ１、Ｚ２が設けてある。
【００８２】
被嵌部９２は、その左右に被せ部９５を有しており、これらの被せ部９５は、その中央部に長方形状の凹部である切欠き部９６が形成してあって、この切欠き部９６を挟んだ前後に位置する脚状の突出部９７、９８を有しており、切欠き部９６と突出部９７、９８とでヘッドユニット側嵌合部を構成している。
【００８３】
そして、突出部９７、９８には半円形状の切欠き部９９と半円形状のねじ部材受部１００とが形成してある。そして、これらの突出部９７、９８に形成された切欠き部９９とねじ部材受部１００とで取付部Ｕを構成している。また、被せ部９５の両肩部には切欠き部９６に抜ける孔部１０１が設けてある。
【００８４】
そして、ヘッドケース９０にはアクチュエータＦが設けてある。アクチュエータＦは、図１７に示すロータリーシャフト１０２を備えており、このロータリーシャフト１０２はシャフト支承部９１に回転可能に挿入してある。このロータリーシャフト１０２の後端部には半円形状のストッパー部１０２Ａが形成してあり、また、ロータリーシャフト１０２の周部には凹部からなるカム部１０２Ｂが形成してあり、また、ロータリーシャフト１０２の先端部には、多数の歯部を有するシャフト側ローレット部１０３が形成してあり、また、ロータリーシャフト１０２の先端面部にはねじ孔１０３Ａが設けてある。また、ロータリーシャフト１０２にはセットゾーン指示針Ｐが設けてある。
【００８５】
また、ロータリーシャフト１０２の先端部にはレバー角度調整部材１０４が配置してある。このレバー角度調整部材１０４は、図１８の（２）に示すように、その内面部にシャフト嵌合凹部１０５を有しており、このシャフト嵌合凹部１０５の周壁部には、対向する位置に部分的に部材側ローレット部１０６が形成してある。この場合、ロータリーシャフト１０２のシャフト側ローレット部１０３にレバー角度調整部材１０４の部材側ローレット部１０６を噛み合わせてレバーの角度調整を行うレバー角度調整手段を構成するようになる。
【００８６】
また、レバー角度調整部材１０４の外面部には、図１８の（２）に示すように、その周部に対向する一対のレバー保持部１０７が設けてあり、これらのレバー保持部１０７の対向部には部材側噛合歯部１０８が形成してある。また、レバー角度調整部材１０４の中央部には孔部１０９が形成してあり、レバー角度調整部材１０４の外面部には孔部１０９を挟んだ上下に突起１１０Ａ、１１０Ｂが設けてある。
【００８７】
レバー１１１は、図２に示すように、その基部にねじ用孔部１１２と、係合孔部１１３Ａ、１１３Ｂとを有し、その上端部にローラ１１４を軸支している。
【００８８】
そして、ロータリーシャフト１０２の先端部に、そのシャフト側ローレット部１０３に部材側ローレット部１０６を噛み合わせてレバー角度調整部材１０４を添わせ、レバー角度調整部材１０４の外面部に、突起１１０Ａ、１１０Ｂを係合孔部１１３Ａ、１１３Ｂに挿入させてレバー１１１を添わせ、取付ねじ部材１１５−１を、レバー１１１のねじ用孔部１１２、レバー角度調整部材１０４の孔部１０９に挿入した後に、ロータリーシャフト１０２の先端面部のねじ孔１０３Ａに螺合して、この取付ねじ部材１１５−１を締め付けることで、ロータリーシャフト１０２の先端部に、ローラ１１４を有するレバー１１１が取付けてある。ローラ１１４には複数の孔部１１４Ａが形成してある。
【００８９】
また、ヘッドケース９０の、シャフト支承部９１の周部から被嵌部９２に抜ける孔部９４には可動部材１１５が摺動可能に挿入してあり、この可動部材１１５の上部は、ロータリーシャフト１０２のカム部１０２Ｂに挿入してある。
【００９０】
この可動部材１１５は、図１９に示すように孔部９４の横断面に相似した横断面を有する部材本体１１５Ａを有しており、この部材本体１１５Ａの上端部には凸部１１６Ａが設けてあり、下端部には鍔状部１１６Ｂが形成してある。また、部材本体１１５Ａの下端面の中央にはプランジャ挿入部（図示せず）が形成してあり、部材本体１１５Ａの側面部には爪部１１７が設けてある。そして、可動部材１１５が孔部９４に挿入された状態では、爪部１１７は、その弾性で孔部９４の周面に当接して、可動部材１１５の抜けを防止し、また、ガタツキを防止している。
【００９１】
次に、上記のように構成されたヘッドユニットＢのスイッチユニットＡの組み付けを説明する。
【００９２】
ヘッドユニットＢの被嵌部９２を、スイッチユニットＡの外部ケース１の上部のヘッドユニット取付部１０に被嵌する。すなわち、被嵌部９２の左右に被せ部９５に設けた切欠き部９６に、外部ケース１の上部の左右の嵌合凸部１３を挿入し、外部ケース１の上部の左右の嵌合凹部１２Ａ、１２Ｂに、左右の被せ部９５の前後に位置する突出部９７，９８を挿入する。そして、被せ部９５の両肩部の孔部１０１に、結合部材であるねじ部材１２３を挿入して、嵌合凸部１３の上面に設けたねじ孔部１５に螺合することで、ヘッドユニットＢがスイッチユニットＡに組み付けてある。
【００９３】
この場合、被嵌部９２の取付部Ｕの切欠き部９９とねじ部材受部１００とは外部ケース１の貫通孔１４の外方に位置するようになるし、外部ケース１のプランジャ装着部１１にシールキャップ６２を介して取付けられたリンクプランジャ６１が可動部材１１５の下端面のプランジャ挿入部に挿入される。
【００９４】
したがって、内蔵スイッチ３の復帰ばね７７のばね力が、スイッチプランジャ６６及びリンクプランジャ６１を介して可動部材１１５を押し上げていて、この可動部材１１５の上端部の凸部１１６Ａをロータリーシャフト１０２に設けたカム部１０２Ｂに当接させている。
【００９５】
次に、上記のように構成されたリミットスイッチＳの取付相手部材（取付相手）への取付と作動を説明する。
【００９６】
上記したようにヘッドユニットＢの被嵌部９２をスイッチユニットＡの外部ケース１のヘッドユニット取付部１０に被嵌し、ヘッドユニットＢをスイッチユニットＡに組み付け固定した場合には、被嵌部９２の取付部Ｕの切欠き部９９とねじ部材受部１００とが外部ケース１の貫通孔１４の外方に位置している。
【００９７】
したがって、リミットスイッチＳを取付相手部材に取付けるには、図２に示すように、取付用ねじ部材Ｎを外部ケース１の貫通孔１４に貫通させて、取付相手部材に設けたねじ孔（いずれも図示せず）に螺合し、取付用ねじ部材Ｎを締め付け、この取付用ねじ部材Ｎで突出部９７、９８を嵌合凸部１３に押圧して外部ケース１とヘッドケース９０とを共締めすることで行われる。
【００９８】
この場合、取付用ねじ部材Ｎの頭部Ｎ−１は、被嵌部９２の取付部Ｕのねじ部材受部１００に当たり、また、取付相手部材には被嵌部９２の裏側が直接に当接する。
【００９９】
このように、ヘッドユニットＢの被嵌部９２をスイッチユニットＡの外部ケース１のヘッドユニット取付部１０に被嵌することで剛性を高めることができ、また、セーフティリミットスイッチＳの取付相手部材への取付けをヘッドユニットＢ側で行うために、スイッチユニットＡの外部ケース１が金属製、樹脂製のいずれかであっても、取付時にセーフティリミットスイッチＳが変形、破損し難くなるし、また、取付強度が向上するし、変形、割れ防止用の別部品が不要になる。さらに、取付相手部材との間に異物がかみ込んだ時にリミットスイッチＳが変形、破損しにくくなる。
【０１００】
また、リミットスイッチＳの作動としては、移動体（ドッグ）が移動して、アクチュエータＦのローラ１１４に接触すると、レバー１１１が傾動してロータリーシャフト１０２が回転し、このロータリーシャフト１０２のカム部１０２Ｂに当接している可動部材１１５が復帰ばね７７のばね力に抗して押し下げられる。
【０１０１】
このために、図３に示すように、リンクプランジャ６１を介してスイッチプランジャ６６が押し下げられて、可動片６７の可動接点６７ａが固定端子４２の固定接点４２ａから開離し、可動片６９の可動接点６９ａが固定端子４４の固定接点４４ａに接触してスイッチの切替えが行われる。
【０１０２】
上記の実施の形態１によれば、スイッチケース２１の表裏にスイッチ配置部２５、２５−１をそれぞれ設け、これらのスイッチ配置部２５、２５−１のそれぞれに内蔵スイッチ３のスイッチ要素部を配置するようにしたことにより、例えば、スイッチ要素部として、それぞれが独立した４回路を持つスイッチ構成の場合、２回路づつをスイッチケース２１の表裏に配置することで４回路が構成できる。このために、特に高さ寸法の小さい小型のリミットスイッチを実現することがでできる。
【０１０３】
また、上記の実施の形態１によれば、スイッチユニットＡが外部ケース１と内部ケース２とを有し、外部ケース１の両肩部に嵌合凸部１３を設けてヘッドユニット取付部１０を構成し、ヘッドユニットＢがヘッドケース９０を有し、このヘッドケース９０の両側に嵌合凸部１３に被さる被せ部９５を設け且つ被せ部９５に取付部Ｕを設けて被嵌部９２を構成し、嵌合凸部１３に被嵌部９２を被せて、スイッチユニットＡにヘッドユニットＢを取付けるようにしてあるために剛性が高まり、しかも、リミットスイッチＳを、ヘッドケースＢの被嵌部９２に設けた取付部Ｕで取付相手部材に取付けることができるために、スイッチユニットＡの外部ケース１が金属製、樹脂製のいずれかであっても、取付時にスイッチが変形、破損し難くなるし、また、取付強度が向上するし、変形、割れ防止用の別部品が不要になる。さらに、スイッチ取付面に異物がかみ込んだ時にスイッチが変形、破損しにくくなる。
【０１０４】
また、上記の実施の形態１によれば、レバー角度調整部材１０４の部材側ローレット部１０６を全周ではなく一部だけに持たせる構造としたので、角度調整の精度を落とすことなく、部品の加工性がよくなり、コスト安になる。
【０１０５】
また、ローラ１１４に複数の孔部１１４Ａを開けて軽量化する構造としたので、耐衝撃性、耐振動性、耐テレグラフィング性が向上するし、また、材料が減ることにより、コスト安になる。
【０１０６】
また、可動部材１１５のカム部１０２Ｂに当たる部分に凸部１１５Ａをもたせる構造としたので、動作点は早く、最終位置（ＴＴ）を大きくできる。従来はレバーの回転角に応じてサインカーブでプランジャが押されていたのに対し、任意にプランジャの押し量を調整できる。
【０１０７】
（実地の形態２）
本発明の実地の形態２に係るリミットスイッチＳ１を図２０に示す。このリミットスイッチＳ１は、ヘッドユニットＢを、内蔵スイッチ３のスイッチプランジャ６６の移動方向に位置変更させるヘッドユニット位置変更手段を備えており、他の構成は、上記したリミットスイッチＳと同構成である。
【０１０８】
このヘッドユニット位置変更手段は、ヘッドユニットＢとスイッチユニットＡとの間にスペーサ１４０を挿入することで構成される。このスペーサ１４０は、外部ケース１の両肩部の嵌合凸部１３の上面部と略同じ大きさのプレート状のスペーサ本体１４０Ａの中央部に孔部１４１を設けて構成してある。
【０１０９】
そして、スイッチユニットＡにヘッドユニットＢを取付ける場合に、外部ケース１の両肩部の嵌合凸部１３の上面部にスペーサ１４０を載せて、ヘッドユニットＢの被嵌部９２を、スイッチユニットＡの外部ケース１の上部のヘッドユニット取付部１０に被嵌する。すなわち、被嵌部９２の左右に被せ部９５に設けた切欠き部９６に、外部ケース１の上部の左右の嵌合凸部１３を挿入し、外部ケース１の上部の左右の嵌合凹部１２Ａ、１２Ｂに、左右の被せ部９５の前後に位置する突出部９７、９８を挿入する。そして、被せ部９５の両肩部の孔部１０１にねじ部材１２３を挿入して、スペーサ１４０の孔部１４１に挿通した後に、嵌合凸部１３の上面に設けたねじ孔部１５に螺合することで、ヘッドユニットＢがスイッチユニットＡに組み付けてある。
【０１１０】
このように、スイッチユニットＡとヘッドユニットＢとの間にスペーサ１４０を挿入することにより、ヘッドユニットＢを、スイッチユニットＡに対して内蔵スイッチ３のスイッチプランジャ６６の移動方向に位置変更させることができて、内蔵スイッチ３の動作特性を変えることができる。なお、ヘッドユニット位置変更手段はスペーサに限らずヘッドユニットＢを別部品とすることでも良い。
【０１１１】
（実地の形態３）
本発明の実地の形態３に係るリミットスイッチＳ２を図２１の（１）に示す。このリミットスイッチＳ２は、上記したリミットスイッチＳにおいて、アクチュエータＦのレバーに、その長さ調整が行えるフォームロックレバー１３０を用いたものである。
【０１１２】
すなわち、フォームロックレバー１３０は短冊状のレバー本体１３０Ａを有しており、このレバー本体１３０Ａには、その長さ方向に長い孔部１３１が形成してあり、また、レバー本体１３０Ａの左、右側縁部には、位置決め用のレバー側噛合歯部１３２が形成してある。また、フォームロックレバー１３０の先端部にはローラ１３３が軸支してある。
【０１１３】
そして、ロータリシャフト１０２の先端部に、そのシャフト側ローレット部１０３に部材側ローレット部１０６を噛み合わせてレバー角度調整部材１０４を添わせ、レバー角度調整部材１０４の外面部にフォームロックレバー１３０を添わせてレバー側噛合歯部１３２をレバー保持部１０７の噛合歯部１０８に噛み合わせ、取付ねじ部材１１５−１を、フォームロックレバー１３０の孔部１３１、レバー角度調整部材１０４の孔部１０９に挿入した後に、ロータリシャフト１０２の先端面部のねじ孔１０３Ａに螺合して、この取付ねじ部材１１５−１を締め付けることで、ロータリシャフト１０２の先端部に、ローラ１３３を有するフォームロックレバー１３０が取付けてある。
【０１１４】
そして、フォームロックレバー１３０の長さ調整は、取付ねじ部材１１５−１を外してフォームロックレバー１３０をレバー角度調整部材１０４から外し、フォームロックレバー１３０を上下いずれかにずらして、再び、レバー角度調整部材１０４の外面部にフォームロックレバー１３０を添わせてレバー側噛合歯部１３２をレバー保持部１０７の噛合歯部１０８に噛み合わせ、取付ねじ部材１１５−１を、フォームロックレバー１３０の孔部１３１、レバー角度調整部材１０４の孔部１０９に挿入した後に、ロータリシャフト１０２の先端面部のねじ孔１０３Ａに螺合して、この取付ねじ部材１１５−１を締め付けることで行う。
【０１１５】
なお、リミットスイッチＳ２の他の構成は、上記したリミットスイッチＳの構成と同じであるために説明を省略する。
【０１１６】
また、フォームロックレバー１３０としては、図２１の（２）に示すように、位置決め用のレバー側噛合歯部１３１Ａと孔部１３１とを別にして、位置決め孔部１３１Ａにレバー側噛合歯部１３２を設けた構成にしてもよい。この場合には、噛合歯部１０８がレバー保持部１０７の外側に設けてあるレバー角度調整部材１０４を使用するようになる。
【０１１７】
レバー側噛合歯部１３２を内側に有するフォームロックレバー１３０の場合には可触部に凹凸がなくなるために、安全性が増すし、位置決め孔部１３１Ａと長孔部１３１が別であるために強度が増す。
【０１１８】
また、上記したヘッドユニットＢにおいて、図１６に示すようにヘッドケースの外面部に、２種類のセットゾーンＺ１、Ｚ２が表示してあり、図１７に示すようにロータリーシャフト１０２にセットゾーン指示針Ｐが設けてあるために、動作特性の異なる２種類の内蔵スイッチ３に対して、セットゾーンＺ１、Ｚ２を使い分けることができる。
【０１１９】
この場合、動作特性の異なる２種類の内蔵スイッチ３に対して、へッドユニットＢは１種しか必要ないのでコスト安になる。
【０１２０】
また、図２２に示すリミットスイッチＳ３は、上記したリミットスイッチＳにおいて、アクチュエータＦのレバー１１に、ローラ１１４とは逆側に重錘（おもり）Ｇを付加して、レバー１１１の重心を回転中心付近にするようにしたものである。この場合、耐衝撃性、耐振動性、耐テレグラフィング性が向上するようになる。
【０１２１】
【発明の効果】
以上説明したように、本発明に係るリミットスイッチによれば、スイッチユニットとヘッドユニットとの結合を凹部が凸部を抱き込むように嵌合させて重合させるために、剛性を高めることができる。このために、スイッチユニットのスイッチ本体が金属製、樹脂製のいずれかであっても、取付時にスイッチが変形、破損し難くなるし、また、取付強度が向上するし、変形、割れ防止用の別部品が不要になる。さらに、取付面に異物がかみ込んだ時にスイッチが変形、破損しにくくなる。
【図面の簡単な説明】
【図１】本発明に係るリミットスイッチの実施の形態１の正面図である。
【図２】同リミットスイッチの一部破断した斜視図である。
【図３】同リミットスイッチのスイッチユニットにおける内蔵スイッチの正面図である。
【図４】同スイッチユニットにおける外部ケースの斜視図である。
【図５】（１）は図４のＸ−Ｘ線に沿う断面図である。
（２）は図４のＹ−Ｙ線に沿う断面図である。
【図６】シールキャップの一部破断した斜視図である。
【図７】リンクプランジャの斜視図である。
【図８】スイッチユニットにおけるスイッチケースの正面図である。
【図９】同スイッチケースの側面図である。
【図１０】同スイッチケースを右上から見た斜視図である。
【図１１】同スイッチケースを左下から見た斜視図である。
【図１２】スイッチユニットにおけるスイッチカバーの内側から見た斜視図である。
【図１３】（１）はスイッチユニットにおける固定用ケースの正面図である。
（２）は同固定用ケースの平面図である。
【図１４】（１）は固定端子の斜視図である。
（２）はケーブルの断面図である。
【図１５】（１）はスイッチプランジャの平面図である。
（２）は同スイッチプランジャの正面図である。
（３）は同スイッチプランジャの側面図である。
【図１６】ヘッドユニットにおけるヘッドケースの斜視図である。
【図１７】ヘッドユニットにおけるロータリーシャフトの斜視図である。
【図１８】（１）はヘッドユニットにおけるレバー角度調整部材の外面図である。
（２）は同レバー角度調整部材の内面図である。
【図１９】ヘッドユニットにおける可動部材の斜視図である。
【図２０】本発明に係るリミットスイッチの実施の形態２の分解状態の斜視図である。
【図２１】（１）は本発明に係るリミットスイッチの実施の形態３の斜視図である。
（２）はフォームロックレバーの変形例の正面図である。
【図２２】本発明に係るリミットスイッチの変形例の正面図である。
【図２３】（１）は従来のリミットスイッチの縦断面図である。
（２）は従来のリミットスイッチの取付状態の説明図である。
【符号の説明】
Ａ        スイッチユニット
Ｂ        ヘッドユニット
Ｆ        アクチュエータ
Ｎ        取付用ねじ部材
Ｕ        取付部
Ｓ        リミットスイッチ
Ｓ１      リミットスイッチ
Ｓ２      リミットスイッチ
Ｓ３      リミットスイッチ
１        外部ケース（スイッチ本体）
２        内部ケース
３        内蔵スイッチ
４        リンクプランジャ機構部
５        スイッチカバー
６        スイッチカバー
７        固定用ケース
１０      ヘッドユニット取付部（ヘッドユニット側嵌合部）
１１      プランジャ装着部
１２Ａ    嵌合凹部
１２Ｂ    嵌合凹部
１３      嵌合凸部（凸部）
１４      貫通孔
１５      ねじ孔部
１６      孔部
１７      シールキャップ保持部
１８      ケーブル導出部
２０      ピン取付孔
２１      スイッチケース
２２      ケース本体
２２Ｃ    袋状部
２５      スイッチ配置部
２５−１  スイッチ配置部
２６      切欠き部
２６Ａ    ストッパー部
２７      縦リブ
２８      縦リブ
２９      横リブ
３０      横リブ
３１      隙間
３２      スイッチプランジャ収容部
３３、３４、３５  端子挿入溝部
３６、３７、３８  端子係止部
３５Ａ      カバー係止突起部
３９        舌片部
４０、４１  リード線導入部
４２Ｌ、４２Ｒ  固定端子
４２ａ、４４ａ    固定接点
４２ｂ、４４ｂ    圧接接続部
４４Ｌ、４２Ｒ    固定端子
４４Ａ    ばね受部
４５、４６、４７      圧接部押え用突起部（押圧手段）
４８      舌片部
４９      係止片部
５０      舌片部
５１      アース線保持部
５２      突設部
５３      アース線挿入孔
５４      アース線からげ用切欠き部
５５      凹部
５５Ａ    突起
５７      ケーブル挿通保持部
５７Ａ    外部ケース係合プレート部
５８      シール部材係止部
５９      ピン当接部
６０Ａ    ケース嵌合部
６０Ｂ    アース線押え突起部
６０Ｃ    係止突起部
６１      リンクプランジャ
６２      シールキャップ
６３      キャップ係合部
６４Ａ    上側係合部
６４Ｂ    下側係合部
６６      スイッチプランジャ
６７      可動片
６９      可動片
６７ａ、６９ａ  可動接点
７０      孔部
７１      孔部
７２      ガイド
７３      ガイド
７４      ガイド
７５      ガイド
７６      復帰ばね挿入部
７７Ａ    保持ばね
７７Ｂ    保持ばね
７８      接触部
７９      ストッパー部
８０      ケーブル
８０−１〜８０−８  リード線
８０−９  アース線
８１      シール部材
９０      ヘッドケース
９１      シャフト支承部
９２      被嵌部（ヘッドユニット側嵌合部）
９３      ストッパー部
９４      孔部
９５      被せ部
９６      切欠き部（凹部）
９７      突出部
９８      突出部
９９      切欠き部
１００    受部
１０１    孔部
１０２    ロータリーシャフト
１０２Ａ  ストッパー部
１０２Ｂ  カム部
１０３    シャフト側ローレット部（レバー角度調整手段）
１０３Ａ  ねじ孔
１０４    レバー角度調整部材
１０５    シャフト嵌合凹部
１０６    部材側ローレット部（レバー角度調整手段）
１０７    レバー保持部
１０８    噛合歯部
１０９    孔部
１１０Ａ  突起
１１０Ｂ  突起
１１１    レバー
１１２    ねじ用孔部
１１３Ａ  係合孔部
１１３Ｂ  係合孔部
１１４    ローラ
１１５    可動部材
１１６Ａ  凸部
１１６Ｂ  鍔状部
１１７    爪部
１２０    保持ピン
１２３    ねじ部材（結合部材）
１３０    フォームロックレバー
１３１    孔部
１３２    レバー側噛合歯部
１３３    ローラ
１４０    スペーサ（ヘッドユニット位置変更手段）
１４１    孔部
【図１】
0003804479.tif 000002
【図２】
0003804479.tif 000003
【図３】
0003804479.tif 000004
【図４】
0003804479.tif 000005
【図５】
0003804479.tif 000006
【図６】
0003804479.tif 000007
【図７】
0003804479.tif 000008
【図８】
0003804479.tif 000009
【図９】
0003804479.tif 000010
【図１０】
0003804479.tif 000011
【図１１】
0003804479.tif 000012
【図１２】
0003804479.tif 000013
【図１３】
0003804479.tif 000014
【図１４】
0003804479.tif 000015
【図１５】
0003804479.tif 000016
【図１６】
0003804479.tif 000017
【図１７】
0003804479.tif 000018
【図１８】
0003804479.tif 000019
【図１９】
0003804479.tif 000020
【図２０】
0003804479.tif 000021
【図２１】
0003804479.tif 000022
【図２２】
0003804479.tif 000023
【図２３】
0003804479.tif 000024